(57)【要約】      （修正有）【課題】速やかに水分、湿気を除去し、且つ長期間に亘り殺菌機能を維持させて使用できる歯ブラシ乾燥器を提供する。【解決手段】歯ブラシＨを直立収納する器体１と、この器体１に装備されると共に、歯ブラシＨのブラシ部Ｈａが位置する凹溝８の内側に空洞部９を形成する金属製ボックス７と、このボックスの空洞部９に収納されると共に、金属製ボックス７を介して凹溝８に位置したブラシ部Ｈａを加熱乾燥させるヒーター１２とで成す。【選択図】図２
0003143778.tif 000002
【実用新案登録請求の範囲】
【請求項１】
所要本数の歯ブラシを直立収納する器体と、この器体に装備されると共に、歯ブラシのブラシ部が位置する凹溝を有し、且つ凹溝の内側に空洞部を形成する金属製ボックスと、このボックスの空洞部に収納されると共に、該金属製ボックスを介して凹溝に位置したブラシ部を加熱乾燥させるヒーターとで成したことを特徴とした歯ブラシ乾燥器。
【請求項２】
金属製ボックスの凹溝を複数個形成して凹凸状とし、該金属製ボックスの空洞部に位置するヒーターを各凹溝間に亘って位置させたことを特徴とする請求項１記載の歯ブラシ乾燥器。
【請求項３】
金属製ボックスをアルミ乃至はアルミ合金としたことを特徴とする請求項１記載の歯ブラシ乾燥器。
【請求項４】
ヒーターを器体の表面に備えられたタイマースイッチにて加熱時間を制御することを特徴とする請求項１記載の歯ブラシ乾燥器。
【考案の詳細な説明】
【技術分野】
【０００１】  本考案は、一般家庭で使用する歯ブラシの使用後における乾燥器に関する。
【背景技術】
【０００２】  家庭用葉ブラシは、歯のブラッシングに用いられた直後ではブラシ部分（植毛部分）に水分が残存しており、その状態で歯ブラシを立てて収納し、自然乾燥に委ね、次回の使用、更にそれらが日々繰返されており、極めて衛生上好ましくない。
この使用後の状態は適度な水分、湿気によって雑菌繁殖の好条件下にあり、梅雨時は特に問題となる。
また、家庭内においても家族間で使用済歯ブラシを並立していることから、１人の歯ブラシが汚染されると家族全員のものにも感染することとなった。
そこで、特許文献１の如く、オゾン発生によって使用後の歯ブラシを殺菌するとしているが、水分の残留状態でのオゾンの殺菌効果には些かの疑問が残る。また、長期間使用でのオゾン発生の信頼性にも欠くものである。
更に、特許文献２は、オゾンに頼ることなく電子冷却素子にて冷却乾燥させるものであるが、殺菌剤との整合性等、長期間使用の信頼性にも疑問が残る。【０００３】  上記何れのものも現実性を欠如しており、家庭内において身近なものではない。
【特許文献１】特開平６−１４１９２７号
【特許文献２】実開平６−６１１３９号
【考案の開示】
【考案が解決しようとする課題】
【０００４】  本考案は、オゾン発生、更には電子冷却と殺菌剤との整合による歯ブラシの殺菌という現実性を欠如しており、且つ長期間使用の信頼性にも疑問が残ることの課題を解決することとした。
【課題を解決するための手段】
【０００５】  本考案は上記課題を解決するため、歯ブラシを直立収納する器体と、この器体に装備されると共に、歯ブラシのブラシ部が位置する凹溝の内側に空洞部を形成する金属製ボックスと、このボックスの空洞部に収納されると共に、金属製ボックスを介して凹溝に位置したブラシ部を加熱乾燥させるヒーターとで成すことによって速やかに水分、湿気を除去し、もって家庭内でも身近で、且つ長期間に亘り殺菌機能を維持させて使用できる歯ブラシ乾燥器。
【考案の効果】
【０００６】（１）請求項１により、金属製ボックス内のヒーターにて該凹溝に位置したブラシ部を加熱乾燥させ、水分、湿気を速やかに除去して雑菌繁殖の環境を整わせず、而もオゾン発生、電子冷却素子による冷却乾燥等のものに比し、極めてシンプルなものとして安価で、且つ長期間に亘り信頼性を維持でき、家庭内でも身近に使用できる。【０００７】（２）請求項２により、金属製ボックスの凹溝を複数個として凹凸状に形成し、ヒーターを各凹溝間に亘って位置させたから、家族数に合わせて所要数の歯ブラシを同時に加熱乾燥させることができる。【０００８】（３）請求項３により、ボックスはアルミ乃至はアルミ合金製であるから、合成樹脂製に比し熱伝導性が優れ、乾燥が速やかに行われ、且つ熱変形を無い。【０００９】（４）請求項４により、ヒーターはタイマースイッチにて加熱時間を制御されるから、適正な過熱乾燥が得られ、もって過度の加熱による危険性が無い。
【考案を実施するための最良の形態】
【００１０】  以下本考案を実施形態を示す図面に基づいて説明する。
図１は歯ブラシ乾燥器の内部を示す正面図、図２は断面図であって、所要本数の歯ブラシＨが器体１に直立収納されている。而してこの器体１は、底板２と歯ブラシＨのブラシ部Ｈａの部分を覆う可視性の合成樹脂製上カバー３及び歯ブラシＨの握枝Ｈｂが差込み位置する収納部４とより成っており、且つカバー３は収納部４とほぼ同一面となる様にカバー３は開閉自在に装備されている。
図２に開蓋状態３ａを示す。【００１１】  更に歯ブラシＨの握枝Ｈｂと対面して中底板５が位置しており、底板２とで空間部６を形成している。
また、歯ブラシＨの本数に応じ、ブラシ部Ｈａが位置する凹溝８を有する金属製ボックス７が底板２に固定されている。
この金属製ボックス７は、歯ブラシＨの本数に応じた凹溝８を形成するから、凹凸状のボックス７となり、而もその内側には空洞部９を形成して熱伝統率の高いアルミ乃至はアルミ合金製としている。この金属製ボックス７の任意の凸部１０には底板２への取付孔１１を設けている。【００１３】  また、金属製ボックス７の空洞部９には各凹溝８間に亘る様、ヒーター１２が収納されており、発熱により輻射熱にて金属製ボックス７を加熱する。
勿論、金属製ボックス７とは絶縁空間を形成する。このヒーター１２としては、面状に形成されるものが最適であることから、耐熱性合成樹脂、ゴム等にカーボン等の導電性粒子を混合させて形成することが考えられるが、ニクロム線によるものでも、支障はない。【００１４】  而して、図２に示す如く、中底板５と底板２とで形成された空間部６には前記ヒーター１２の電気部品１３を取付ける配線板１４が位置し、且つ中底板５に固定されている。この空間部６には外部からの電源コードＴが引込まれ、配線板１４の電気部品１３、接続線Ｔａを介してヒーター１２に接続されている。
また、器体１の表面にはタイマースイッチ１５が装備されており、電気部品１３を介してヒーター１２のオン、オフ動作と共に、発熱時間を制御する。
この制御とは、歯ブラシＨの乾燥時間で１０分程度が最適と考えられる。
尚、歯ブラシＨが正規に直立する様に、握枝Ｈｂを保持するホルダー１６、１７、１８を適宜備える。また、底板２には壁面などへの取付孔１９が設けられている。
【使用順序】
【００１５】  次に本考案に係る歯ブラシ乾燥器の使用順序について説明すると、使用済み歯ブラシＨを器体１に直立収納すると共に、そのブラシ部Ｈａを金属製ボックス７の凹溝８に位置させる。
この状態において、器体１の表面のタイマースイッチ１５をオン操作し、所定時間ヒーター１２からの発熱によって金属製ボックス７を加熱して凹溝８に位置する歯ブラシＨのブラシ部Ｈａを加熱乾燥させて、水分、湿気を除去して雑菌が繁殖することなく、次回の使用に対応する。
尚、可視性の合成樹脂製上カバー３を閉蓋すれば、加熱乾燥がより効率的となる。
【図面の簡単な説明】
【００１６】
【図１】歯ブラシ乾燥器の内部を示す正面図
【図２】同上の断面図
【図３】拡大部分斜視図
【符号の説明】
Ｈ    歯ブラシ
Ｈａ  ブラシ部
Ｈｂ  握枝
１    器体
２    底板
３    合成樹脂製上カバー
４    収納部
５    中底板
６    空間部
７    金属製ボックス
８    凹溝
９    空洞部
１２  ヒーター
１５  タイマースイッチ
【図１】
0003143778.tif 000003
【図２】
0003143778.tif 000004
【図３】
0003143778.tif 000005